(57)【特許請求の範囲】
【請求項１】
頭形の前面域、頂部域、側面域及び後ろ面域に分けられた大区画をさらに１０〜１６０に区分けした小区画からなる区画毎に、顧客の希望するデザインに対して、ヘアーの長さ、ヘアー種及びカラー種に関する数値及び／又は符号の記入された短冊片を貼付けたことを特徴とする頭形の展開図。
【発明の詳細な説明】
【０００１】
【発明の属する技術分野】
本発明は、ヘア−カッティング、ヘア−パ−マ、カラーリングなどの美容ヘア−デザインの設計方法に関する。
また、本発明は、顧客の希望に応じたヘア−デザインを数値化及び／又は符号化して頭形の展開図に所定事項を記入し、この展開図に基づいてヘア−処理又はスタイリングする方法に関する。
また、本発明は、顧客の希望に応じたヘア−デザインを数値化及び／又は符号化した短冊片を頭形モデルの各部位に貼付けた立体の頭形モデルに基づいてヘア−スタイリングする方法に関する。
また、本発明は、顧客の希望に応じたヘア−デザインを数値及び／又は符号を記入した短冊片を貼付けた頭形の展開図及び立体の頭形モデルに関する。
本発明で、ヘア−スタイリング又はヘア−処理とは、ヘア−カッティング、カラ−リング、ヘア−アイロンなどの美容・理容・理髪に関するヘアスタイルに関する一切の処理を意味する。
本発明における頭形の展開図とは、立体的なヒュ−マンヘッド（頭形）を平面的に展開して所定域に区画した平面図を、立体頭形モデルとは、ヒュ−マンヘッド（頭形自体）の立体モデルを意味する。
【０００２】
【従来の技術】
ヘア−スタイル、特にパ−マは女性にとって命とも言うべきものであるものの、一般的にはパ−マだけによるヘア−スタイルの具現はほとんどなく、カットやブロ−などの組み合わせて美しいヘア−スタイルが完成するのが普通である。
このように顧客の女性にとってヘア−デザイン、ひいてはそれをヘア−処理したヘア−スタイリングは、自分を印象付ける重要な要素と位置づけながら、顧客にとって必ずしも自分の好みのヘア−カッティング、カラ−リング又はヘア−アイロンについてのデザインの設計あるいはこのデザインに基づくヘア−スタイリングを実現するには程遠かった。
従来、ヘア−スタイリングに際しては、顧客が、ヘア−モデルやヘア−デザインなどの写真や雑誌、あるいは美容師のアドバイスなどを参考にしながら、自分の気に入るヘア−カッティング、カラ−リング又はヘア−パ−マを決めて、これを美容師に口頭で伝えている。美容師は、この顧客オ−ダ−に基いてヘア−処理するか、あるいは顧客の希望について美容師の記憶に頼ったスタイリングにならざるを得ない。また、顧客の希望するヘア−スタイリングは、ぺ−パ−化して正確に記録されていないために、美容師の感性に依るところが多く、現実には美容師任せのその場でのヘア−カッティング、カラ−リング又はヘア−パ−マの処理が普通であった。このように、従来、ヘア−スタイルは、美容師の”勘”やセンスの良さ、あるいは美容師のすぐれた技倆に頼らざるを得なかった。
ここに、いわゆる”カリスマ美容師”などの存在する余地があった。
【０００３】
このように、女性顧客の利用する美容店は、大体において特定の店に決められており、さらには顧客のヘア処理は該美容店の特定の美容師に委ねられているのが現状である。また、顧客の希望通りのヘア−スタイル処理の正確な実現は難しく、仮に一度、顧客の気に入ったヘア−スタイルが完成したとしても、次回のパ−マ処理のときには、前回と同様のヘア−スタイルを再現することは不可能であった。
このような状況の中では、顧客のヘア−デザインの設計あるいは該ヘア−デザインに基づくヘア−処理は、顧客の希望が完全に満たされることなく、適宜にヘア−処理をせざるを得なかった。
従来のヘアー処理技術をみてみると、例えば、ヘア−処理に際しては、顧客の希望するヘア−デザインのモデルシ−トを鏡面にはりつけて美容師のアドバイスを受けつつ顧客のデザインを決めることが普及している（実開昭５８−４８１８０号公報、実開昭５９−９８８２１号公報、実開昭５９−９８８２２号公報、実開昭６０−６４７２２号公報、実開平５−９１５１９号公報）。しかし各人各様に頭形の異なる顧客について希望通りの髪形デザインの実現は難しく、ヘア−スタイルの再現はもっと困難であった。
【０００４】
また、顧客の希望するヘア−デザインへのデザインチェンジを容易にするため、髪形モデルと対比しつつ、ＴＶモニタ−やコンピュ−タに映出した顧客の髪形の予測パタ−ンを用いて顧客の好みの髪形を設計することも公知である（特開昭５８−９７３０６号公報、特開昭５６−１０９６１６号公報、特開昭６０−４５３０３号公報、特開平７−６７７２１号公報、特開平９−９８８３４号公報、特開昭１０−１４６５５号公報）が、画面に写った立体的な視覚情報を現実にヘア−処理に応用したときに、必ずしも顧客のニ−ズに対応するものではなかった。また、多数本の合成繊維の疑似毛髪（実際の人間毛髪の場合もある）を植毛した立体的な頭形モデルの使用も提案されたが、スペース、保管性、煩雑性の面で頭形モデルの再使用も難しかった。
上述するように一度ヘア−処理した後に次回のヘア−処理するときに、前回と同様のヘア−スタイルに対応させようとすると、同一デザインの情報は同一店又は同一美容師に頼らざるを得ず、また得られても前回のデザイン情報は頭形のイメ−ジ情報に過ぎず、頭形細部に亘っての詳細なデザイン情報は正確なデ−タとして記録されていないため、顧客の満足するヘア−処理は困難であった。これは、同一系列店間でのコンピューターを用いての転送デ−タを利用しても同様であった。まして、顧客が自宅などで好みのヘア−デザインを設計することは全く考えもしなかった。
【０００５】
【発明が解決しようとする課題】
成人の場合、頭部全体で平均０．５  〜０．０９ｍｍ程度の太さ、伸度５０％程度の毛髪が、自然脱毛（５０〜１００  本／日）するが、常時、１０〜１５万本程度が頭部に存在する。毛髪は、月に１．１  〜１．３  ｃｍ程度成長するものであり、体質にもよるが、４〜５週に一度カッティングやヘア−パ−マをかける。このとき、女性顧客は、カッティングやパ−マの度毎に美容師に自分の好みのオ−ダ−しても、美容師の技倆にもよるが、顧客は希望通りのヘア−スタイルが具現化していないのに多少の不満を懐きながら、美容店を去るのが普通である。
このように顧客の希望するヘア−デザインのオ−ダ−は千人千様であり、これに対応する美容師側のヘア−スタイリングのセンスや技術能力も、千差萬別であるから、顧客の希望デザインと美容師の施術のマッチングは極めて困難で、実際には、顧客のオ−ダ−の実現は、上述するように美容師個人のセンスや技術に頼らざるを得ないのが現実である。
【０００６】
仮に美容師の技術が優れていて、かつ顧客の希望通りのスタイリング処理が達成できたとしても、次回のヘア−スタイリングのときには、通常、前回と同じオ−ダ−する。顧客のこの同じオ−ダ−は、同一美容師であれば、顧客の希望はある程度は理解できるにしても、前回のヘア−デザインの正確なデ−タは残していないため、その美容師の前回のヘア−スタイリングの記憶に頼らざるを得ない。美容師が変わると、全く理解されない。
このことは、顧客の求める前回のヘア−カッティング、カラ−リング又はヘア−パ−マと全く同一のスタイリングの再現は、不可能なことを意味するものである。まして、前回と別人の美容師であれば、顧客の求めるヘア−スタイリングの再現は絶望的であった。
そこで、本発明では顧客の求める希望するヘア−デザインについての完全な設計、希望通りのヘアーデザインに基づくヘア−カッティング、カラ−リング又はヘア−パ−マなどのスタイリング処理及び顧客オ−ダ−に対する完全な再現性の課題を解決することが必要となってくる。
【０００７】
【発明を解決するための手段】
一般に、ヘア−スタイルを完成するには、カ−ラ−を使うセット仕上げ、ドライヤ−とブラシなどの美容用具を用いるブロ−仕上げに大別される。セット仕上げは、カ−ラ−に毛髪を巻いて一度乾燥させてから全体で仕上げる方法で、ブロ−仕上げは、毛髪全体を幾つかの部分に分けて、各部分を順番にドライヤ−で乾燥させながら全体のスタイルを仕上げる方法を講ずるのが普通である。
本発明者らは、従来、服飾デザインにおける型紙などの使用によって顧客オ−ダ−を具現化し、また再現を可能にすることに着目し、これを上述のようなヘア−スタイリング処理に適用することにより顧客のオ−ダ−の完全な実現及び顧客のオ−ダ−のより完全な再現を可能としたものである。
【０００８】
本発明は、基本的には下記の構成を特徴とするものである。
（１）頭部の展開図における複数個の区画された部位毎に、顧客の希望するヘア−デザインに対応する数値や符号を記入し、該数値や符号に基づいてヘア−
処理するためのヘア−デザインの設計方法。
（２）顧客の希望するヘア−デザインに対応して各部位に記入する数値や符号が、ヘア−の長さであることを特徴とする（１）に記載のヘア−デザイン設計
方法。
（３）顧客の希望するヘア−デザインに対応して各部位に記入する数値又は符号が、ヘア−のパ−マ種であることを特徴とする上記（１）又は（２）に記載のヘア−デザイン設計方法。
（４）顧客の希望するヘア−デザインに対応して各部位に記入する数値又は符号が、ヘア−のカラ−種であることを特徴とする上記（１）〜（３）のいずれ
かに記載のヘア−デザイン設計方法。
【０００９】
（５）上記（１）〜（４）のいずれかで設計したヘア−デザインに基づいて実際にヘア−処理することを特徴とするヘア−スタイリング方法。
（６）顧客の希望するヘア−デザインに対応する数値や符号を記入するために複数個の大区画及び多数個の小区画の部位に区画されていることを特徴とする
頭形の展開図。
（７）上記大区画が、頭形を中心線によって分け、さらに正面・頂部域、後面域、上側面域、下側面域及びネ−プ域に分けられたものであることを特徴とす
る上記（６）記載の頭形の展開図。
（８）上記大区画が、頭形の前面域、頂部域、側面域及び後ろ面域であることを
特徴とする上記（６）又は（７）に記載の頭形の展開図。
（９）上記多数個の小区画が、頭形を適宜に大分けした大区画を、さらに適宜の数に細分化された部位であることを特徴とする上記（６）〜（８）のいずれ
かに記載の頭形の展開図。
【００１０】
（１０）上記部位の数が、１０〜１６０程度であることを特徴とする上記（６）〜
（９）のいずれかに記載の頭形の展開図。
（１１）展開図の各部位毎に、決められたデザインに応じて、所定の数値及び／又は符号の記入された、デザイン通りの毛髪長さの短冊片を貼付けたことを特
徴とする上記（６）〜（１０）のいずれかに記載の頭形の展開図。
（１２）上記（６）〜（１１）のいずれかに記載の展開図に基づいてヘア−処理す
ることを特徴とするヘア−スタイリング方法。
【００１１】
（１３）上記（６）〜（１０）のいずれかに記載の展開図に相当する、実際の立体頭形モデルの各部位毎に、決められたデザインに応じて、所定の数値及び／又は符号の記入された、デザイン通りの毛髪長さの短冊片を貼付けたことを
特徴とする立体頭形モデル。
（１４）上記（１３）の立体頭形モデルに基づいてヘア−処理することを特徴とす
るヘア−スタイリング方法。
また、本発明の範囲には、上記（１）〜（１１）の頭形展開図を美容院などの適宜の個所で販売することも含まれる。
【００１２】
本発明の方法は、反覆継続性があり、大多数の者の長年の要請を満たしたもので、産業上の利用性が高く、社会的貢献度は大きい。
本発明では、上述するようにヘア−スタイイルについての顧客のオ−ダ−を数値化又は符号化し、これによって各顧客特有のヘア−デザインの頭形の展開図を作成して、この頭形の展開図に基づいて顧客のヘア−デザインを設計し、さらにこの展開図によってスタイリング処理することを基本的な特徴とするものである。また、本発明は、ヘア−デザインにかかる数値及び／又は符号を記入した頭形の展開図及び展開図の基となった立体頭形モデルを特徴とするものである。
上記頭形の展開図は、頭形を平面的に展開した展開ものであり、これを頭形を平面的に大分けし、さらに大分け域を細分化した部位を有する展開図としたものである。顧客よりヒャ−リングした顧客の希望するヘア−たもカッティング、カラ−リング又はヘア−パ−マなどのデザインに応じて展開図の各域に数値及び／又は符号を記入する。
【００１３】
なお、本発明において、決められたデザインを数値化及び／又は符号化するとは、例えば、カッティングであれば、毛髪根元からの長さを、カラ−リングであれば所定のカラ−色を、パ−マであれば、パ−マ種などを記入することを意味する。
顧客の希望するヘア−デザインは、美容現場で美容師が自己流にデザインすることもあるし、ヘア−モデルなどを参考に美容師のアドバイスを受けて顧客自ら希望を述べて設計する場合もあるし、あらかじめ顧客自身が好みのヘア−デザインを用意している場合もある。
本発明では、展開図における大分けされた区画の数は、適宜でよいが、例えば正面・頂部域、後面域、上側面域、下側面域及びネ−プ域の中心線左右両側の前１０区画、あるいは、頭形の前面域、頂部域、側面域及び後ろ面域の４区画に分けるのが適当である。また、上記大分けをさらに細分化した部位の数も適宜であるが、１０〜１６０、好ましくは６０〜８０程度が適当である。
【００１４】
本発明では、上記頭形の展開図を大区画及び小区画に区分けされた各部位毎に、ヘア−カッティング、カラ−リング又はヘア−パ−マなどについて決められたヘア−デザインを数値化及び／又は符号化して記入することを特徴とするものであり、本発明においては、顧客のオ−ダにより設計されたデザインを数値及び／又は符号の記入された展開図を利用することによって、顧客のヘア−カッティング、カラ−リング又はヘア−パ−マなどについてのオ−ダ−の完全実現、及びその再現が可能となった。
本発明では、上記設計されたデザインに応じて、展開図の各部位毎に、所定の数値及び／又は符号を上記展開図の各部位毎に記入することを基本とするが、展開図の各部位毎に上記決められたデザインに応じた数値及び／又は符号を記入した短冊状のものを貼付することもできるし、さらに保管スペ−スが許せば、実際の頭形モデルに上記決められたデザインに応じた数値及び／又は符号を記入した短冊片を貼付けることも可能である。短冊片そのものを素材は、普通紙、厚紙、プラスチックシ−トなど必要事項の記入が容易で、カッティング（実際の設計ヘア−長さにカットするため）が容易なものであれば制限はない。
【００１５】
これらの設計されたデザインに応じて数値及び／又は符号の記入された展開図、展開図に所定の数値及び／又は符号の記入された短冊片を張りつけたもの、あるいは実際の立体頭形モデルに上記短冊片を張りつけたものを保管しておくことによって、前回のヘア−デザインの詳細な記録が残ることなり、これらの記録化されたデザイン展開図あるいは立体モデルの使用によって、顧客のデザインのより現実的に具現化ばかりでなく、前回と同一のヘア−処理も容易となるから、ヘア−スタイリングの再現については完全である。
また、数値及び／又は符号を記入した展開図を基本とすることによって、各顧客毎のニ−ズとそのヘア−処理の処方を共通化あるいは統一化して把握することができるので、同一美容師又は同一店でなくとも、当該展開図を参考とすることによって完全同一のヘア−スタイリング処理することができる。また、顧客のデザインの希望に対して美容師が適切にアドバイスをすることも可能となる。
さらに、ヘア−デザインに関する数値及び／又は符号を記入した頭形の展開図及び展開図の基となった立体頭形モデルに基づいてヘア−スタイリングすることは、より現実的である。
【００１６】
【発明の実施の形態】
図面を用いて、従来のヘア−処理と対比しつつ、本発明のヘア−スタイリング技術を説明する。
図１〜図３は、従来の基本的な頭形の区分けを示すものであり、図１は従来の頭形の基本的な区分（横）、図２は従来の頭形の基本的な区分（後ろ）、図３は従来の頭形の基本的な区分（正面）である。図４〜６は、従来の基本的なパ−マの態様を示すものであり、図４は従来のパーマ例（横）、図５は従来のパーマ例（後ろ）、図６は従来のパーマ例（正面）である。図７は、正面からみた頭髪の成長度合を示すもので、図８は横からみた頭髪の成長度合を示すものである。図９〜図１１は、本発明における基本的な頭形の区分けを示し、、特に、図９は本発明における頭形の大区画一例（横）、図１０は本発明における頭形の大区画一例（後ろ）、図１１は本発明における頭形の大区画一例（正面）であり、図１２及び図１３は、図９〜１１の区分けを展開図で示したものであり、各区画された部位を示す。
図１４〜図１６は、本発明における頭形の展開図の別例で、各横面、後ろ面及び正面により見た区分けを示す。図１７及び図１８は、先の図９〜図１１と同様に図１４〜図１６の区画に基づいて区分けした展開図を示すものである。図１９及び図２０は、本発明におけるヘア−デザインを実際的に頭形に模式化したものを示し、図２１は、各部位毎に記入する数値又は符号の記入の一例を示す。また、図２１に示す記入例のものを短冊状としてそれ自体を、図１９又は図２０に示すように頭形モデルに貼付けることもできる。
【００１７】
従来、頭形モデルは、大分け及び細分化されており、この区分けは、図１〜図３に示すように、前正面から後ろ正面、左側面、右側面にかけて、１〜６程度の区画に分けるのが、普通であり、従来は、図１〜図３の区分けに応じて図４〜図６に示すように区画毎にパ−マをかけるのが一般的であった。また、このパ−マに先立って、顧客のデザインの希望を聞いて、カッティングやパ−マ処理するけれども、上述するように必ずしも顧客の好みのデザインに仕上がることはなかった。
これに対して本発明では、図７及び図８に示されるような１年毛から多数年毛にわたる毛髪を、カッティング、パ−マ及びカラーリングのためのヘア−デザインを頭形の展開図によって設計及び処理するものである。図８におけるＬ１  は１年毛を、Ｌ２  は２年毛を意味するものであり、Ｌ３  、Ｌ４  は順次多数年毛を示し、Ｌ５  は５年毛を意味する。
【００１８】
部位の特定；
本発明では、先ず、頭形を図９〜図１１に示すように、トップフロント［Ｔｏｐ  Ｆｒｏｎｔ  （  ＴＦ）］、トップサイド［Ｔｏｐ  Ｓｉｄｅ（ＴＳ）］、アンダーサイド［Ｕｎｄｅｒ  Ｓｉｄｅ（ＵＳ）］及びネ−プ［Ｎａｐｅ（ＮＡ）］の４区画に、さらに中心線の左右両側で、合計８区画に大分けする。このとき、左右の区別は、左側（頭の後ろからみて左側）をＬｅｆｔ、右側をＲｉｇｈｔ  とする。
本発明では、この４×２の８区画を、さらに細分化して区画した１単位を一つの部位とし、各部位に１〜ｎの符号を付し、各部位の位置を明確化する。この部位を立体的に示すものが、図１２であり、さらにそれを平面化したものが図１３である。
【００１９】
本発明における区分けの例では、トップフロント［Ｔｏｐ  Ｆｒｏｎｔ  （  ＴＦ）］で８、トップサイド［Ｔｏｐ  Ｓｉｄｅ（ＴＳ）］で８、アンダーサイド［Ｕｎｄｅｒ  Ｓｉｄｅ（ＵＳ）］で１６、及びネ−プ［Ｎａｐｅ（Ｎ）］で６の計３８で、左右両側で３８×２の合計７６の部位が設けられている。この区画では、例えば「ＬＴＳ５  」と言えば、図９に示す頭部左側（後ろ側から）の大区画のＬＴＳ（左トップサイド）において、後ろ中心線から左側でトップサイドの域の上から５番目の位置の部位を示す。
【００２０】
また、ヘア−スタイルによっては、頭形の中心を設けずに頭前部より順次に区画する方がフィッティングする場合もある。このときは、図１４〜図１６に示すように、大分けとして、フロント（Ｆｒｏｎｔ  ）、トップ（Ｔｏｐ）  、バック・センタ−（Ｂａｃｋ  Ｃｅｎｔｅｒ  ）、サイドレフト（Ｓｉｄｅ  Ｌｅｆｔ  ）、バックレフト（Ｂａｃｋ  Ｌｅｆｔ  ）、サイドライト（Ｓｉｄｅ  Ｒｉｇｈｔ）、バックライト（Ｂａｃｋ  Ｒｉｇｈｔ）の７区分の大分けし、これをさらに細分化して部位を決めることも可能である。
したがって、上記図１４〜図１６の大分けを展開した図１７又は図１８の展開図では、フロント（Ｆ）は４、トップ（Ｔ）  は４、バック・センタ−（ＢＣ）は１６、サイドレフト及びサイドライト（ＳＬ／ＳＲ）は各８、バックレフト及びバックライト（ＢＬ／ＢＲ）は、１２の各部位とする。したがって、この区分けの場合は、例えば「ＢＬ３  」と言えば、図１４を参照にしてみると、頭後ろからみて、ＢＬ（Ｂａｃｋ  Ｌｅｆｔ  ）域の上より３番目の部位を示すこととなる。
【００２１】
デザインの設計；
図７及び図８に示すように、１年毛、２年毛と毛髪は成長しており、通常は適時に美容師によって適当長にヘア−カットされ、ヘア−処理されている。
すなわち、従来、顧客の希望のヘア−デザインが設計される。このデザインの設計に当たっては、ヘア−モデル写真などに基づいて美容師の適時のアドバイスを参考に、顧客が自分の好みのヘア−デザインを決め、このヘア−デザインに基づいて、美容師が”勘”に頼ってカッティグし、例えば図４〜図６に示すようなモデルで先に設計した顧客の希望のヘア−スタイルに仕上げるようにパ−マ処理をしていた。一方、本発明では、先の展開図の各部位毎に、顧客の希望のデザインに対応する、ヘア−長、カット長、パ−マ種又はカラ−種についての数値及び／又は符号を記入して、この数値や符号に基づいてパ−マ処理、あるいはカラ−リングすることを基本とするものである。
【００２２】
本発明では、図１２及び図１３に示すような、前出の図９〜図１１の頭形の大区画を展開した各部位あるいは同じく図１４〜図１６の頭形を展開した図１７及び図１８の部位に、図２１の実際の記入例に示すように、各顧客の希望するヘア−デザインに対応する、ヘア−長、カット長、パ−マ種又はカラ−、その他の事項を数値及び／又は符号として記入する。図１２の方がデザインを想定し易いが、実際にデザインに基づいて所定の符号及び／又は数値の記入し易いのは図１３である。記入は、展開図の各部位の余白部に記入することができるが、場合によっては、図２１の記入表自体を短冊片として、上記展開図の各部位に貼付けるか、あるいは図１９や図２０に示するように実際の立体頭形モデルに貼付けることも可能である。この場合は、部位数に対応する枚数の短冊片が必要である。
ヘア−デザインは、従来と同様にヘア−モデル写真などに基づいて美容師のアドバイスを参考にしてもよいし、実際のヘヤ−処理の前に顧客自身があらかじめ決めておき、図１２、図１３、図１７又は図１８のような展開図に記入しておくことも顧客にとっては都合がよい。このため、顧客の便なるように、美容院などにおいて、このように区画した展開図自体を販売することも可能である。
【００２３】
上述するように本発明のヘア−デザインの展開図への数値及び／又は符号の記入により、顧客の好みのヘア−デザインをきめ細かく完全に表現できるし、カッティング、パ−マやカラ−リングが容易に具現化することができる。また、異なる美容師間又は離れた美容店間においても、あるいは前回から今回のヘア−処理に至る時間の経過に関係なく顧客の希望情報を容易に入手できるから、同一デザインのスタイリングは確実に再現可能である。
【００２４】
【発明の効果】
本発明法の結果、従来の美容・理容・理髪の処理方法に比べて、顧客のヘア−スタイルについての希望を正確に実現してヘア−処理することができる。また、ヘア−スタイルは正確なデ−タとして保管することが可能であるので、確実にヘア−処理でき、また正確な再現が可能である。さらに、異なる美容師間あるいは美容店間においても、記録されたデ−タの交換によりヘア−デザイン情報の交換が容易であるから、美容技術を標準化することができる。
【図面の簡単な説明】
【図１】従来の頭形の基本的な区分（横）
【図２】従来の頭形の基本的な区分（後ろ）
【図３】従来の頭形の基本的な区分（正面）
【図４】従来のパ−マ例（横）
【図５】従来のパ−マ例（後ろ）
【図６】従来のパ−マ例（正面）
【図７】頭髪の成長状態（正面）
【図８】頭髪の成長状態（横）
【図９】本発明における頭形の大区画一例（横）
【図１０】本発明における頭形の大区画一例（後ろ）
【図１１】本発明における頭形の大区画一例（正面）
【図１２】図９〜１１の小区画展開図
【図１３】図９〜１１の小区画展開図（別例）
【図１４】本発明における頭形の大区画別例（横）
【図１５】本発明における頭形の大区画別例（横）
【図１６】本発明における頭形の大区画別例（横）
【図１７】図１４〜１６の小区画展開図
【図１８】図１４〜１６の小区画展開図（別例）
【図１９】本発明の実際の頭形モデル（横）
【図２０】本発明の実際の頭形モデル（正面）
【図２１】各部位への記入例
【符号の説明】
ＬＴＦ；左側トップフロント（Ｔｏｐ  Ｆｒｏｎｔ  ）
ＬＴＳ；左側トップサイド（Ｔｏｐ  Ｓｉｄｅ）
ＬＵＳ；左側アンダサイド（ｕｎｄｅｒ  Ｓｉｄｅ）
ＬＮＡ；左側ネ−プ（  Ｎａｐｅ）
Ｆ  ；  フロント（Ｆｒｏｎｔ  ）
Ｔ  ；  トップ（Ｔｏｐ）
ＢＣ；  バック・センタ−（Ｂａｃｋ  Ｃｅｎｔｅｒ  ）
ＳＬ；  サイドレフト（Ｓｉｄｅ  Ｌｅｆｔ  ）
ＢＬ；  バックレフト（Ｂａｃｋ  Ｌｅｆｔ  ）
ＳＲ；  サイドライト（Ｓｉｄｅ  Ｒｉｇｈｔ）
ＢＲ；  バックライト（Ｂａｃｋ  Ｒｉｇｈｔ）
【図１】
0003590556.tif 000002
【図２】
0003590556.tif 000003
【図３】
0003590556.tif 000004
【図４】
0003590556.tif 000005
【図５】
0003590556.tif 000006
【図６】
0003590556.tif 000007
【図７】
0003590556.tif 000008
【図８】
0003590556.tif 000009
【図９】
0003590556.tif 000010
【図１０】
0003590556.tif 000011
【図１１】
0003590556.tif 000012
【図１２】
0003590556.tif 000013
【図１３】
0003590556.tif 000014
【図１４】
0003590556.tif 000015
【図１５】
0003590556.tif 000016
【図１６】
0003590556.tif 000017
【図１７】
0003590556.tif 000018
【図１８】
0003590556.tif 000019
【図１９】
0003590556.tif 000020
【図２０】
0003590556.tif 000021
【図２１】
0003590556.tif 000022